(57)【特許請求の範囲】
【請求項１】
河川や水路において、流水に浮いたり混入したりしている塵芥を分離し、分離して引上げた地点から集積地点までの間に、集積地点に向かう適度な下り勾配を有する水路形状のシュートを設け、シュートの始点にはポンプで水を汲み上げてシュート内に常時一定の水流を形成させ、さらにシュート終点には多孔構造のバケットをシュート内を流下してくる水と塵芥とを一旦全部受け入れた後、水だけを上記バケットの多孔構造部分から放流して塵芥を捕らえることのできるよう設置し、シュートの始点付近または途中に投入された塵芥を水によってシュート内を終点まで搬送し、集積地点に多孔構造のバケットから放出して集積するようにした除塵装置の塵芥の搬送装置において、上記シュート終点に設けた多孔構造のバケットを越流部を設けて最高水位がバケットの天端を越えないようにした水溜に浸し、シュート内を流下してくる水と塵芥とを一旦全部受け入れた上で塵芥を捕捉し、捕捉した塵芥を放出するようにしたことを特徴とする除塵装置の塵芥の搬送装置。
【発明の詳細な説明】
【０００１】
【産業上の利用分野】
この発明は、河川や水路において流水に浮いたり混入したりしている塵芥を分離して陸上に引き上げて集積する除塵装置において、分離して引上げた塵芥を、その地点から集積地点まで搬送して集積する除塵装置の塵芥の搬送装置に関するものである。
【０００２】
【従来の技術】
従来、除塵装置の塵芥の搬送装置としては、
▲１▼ベルトコンベアに塵芥を投入して搬送し、コンベアの終点を集積床面より十分高くして、コンベア終点でベルトが反転するときに落下する塵芥をその地点に集積するもの。
▲２▼鋼製の矩形シュートの底部をコンベアチェーンによって駆動される多数の搬送棒が移動するいわゆるチェーンコンベアに塵芥を投入して搬送し、コンベアの終点を集積床面より充分高くしてコンベア終点でチェーンが反転するときに落下する塵芥をその地点に集積するもの。
▲３▼金網によって小さい寸法の塵芥を捕捉する除塵装置において、金網を洗浄して塵芥の混入した水に多量の水を加えてシュート内を流下させ、シュート終点で多孔構造のバケットに再度捕捉させ、このバケットを引揚げ反転することにより集積床面に塵芥を放出し集積するもの。
等があった。
【０００３】
【発明が解決しようとする課題】
しかしながら、上記従来例の▲１▼や▲２▼においては、コンベアの建設費が高価につく上に、水から分離したばかりの塵芥の一部は、コンベア終点においてベルトやチェーンまたは搬送棒に付着したまま逆行部に入り込み、搬送装置を汚したり、運転に障害を及ぼすことがあった。
【０００４】
また上記従来例▲３▼は、金網によって捕捉するような最大寸法２５ｍｍ〜５０ｍｍ程度の小さい寸法の塵芥に限られて利用され、シュート内で塵芥は圧倒的に多量の水量に浮かせて搬送されるので、搬送する塵芥に比較して非常に大きい揚量のポンプを必要とするので、河川を流入する塵芥のように木片、枝、草、落葉、家庭の廃棄物、廃プラスチック、小動物の死体など寸法も大きく、種々雑多な構成の塵芥の場合には利用されなかった。
【０００５】
そこで本発明者らは先に実願平４−７５４４１号の発明において、河川や水路において、流水に浮いたり、混入したりしている塵芥を分離し、分離して引き上げた地点から集積地点までの間に平面的には直線と緩やかな曲線であり、縦断的には集積地点に向かう適度な下り勾配を有する水路形状のシュートを設け、シュトの始点にはポンプで水を汲み上げてシュート内に常時浅い水深ながら一定の水流を形成させ、さらにシュート終点には多孔構造のバケットを、シュート内を流下してくる水と塵芥とを一旦全部受入れた後、水だけを多孔構造部分から放流して塵芥を捕らえることができるよう設置して、シュートの始点付近または途中に投入された塵芥を水によってシュート終点まで搬送し、集積地点に放出して集積するようにした除塵装置の塵芥の搬送装置を提案した。
【０００６】
しかしながら、上記発明においてもシュート終点から落下する塵芥が多孔構造のバケット内で一か所に積み重なった状態となりやすく、バケットの容積を効率よく使うことが困難であるとの問題が指摘された。
【０００７】
そこで本発明者等はさらに特願平６−２１３２１２号の発明において多孔構造のバケットの通水孔をバケット上部では密にして排水性を良好にし、バケット下部では粗にして排水性を制限することによって、水と塵芥を一旦全部受け入れるときにバケット内に下部に水が溜ることを利用してバケット内での塵芥の分散を促すようにした。加えてシュート終点においてシュート側面に水と塵芥の排出口を設け、さらにシュート内に水流方向に対して傾斜した排水壁を設けることにより、排出口における水と塵芥との分散を促し、加えて長尺の棒状のものの排出性を改善した。
【０００８】
しかしながら、上記発明においても多孔構造のバケットの通水孔の形状、大きさ、配置を工夫することによってバケット内下部に水を適度に溜めることは、塵芥の寸法、形状、材質が多様に変化するので不安定である。
【０００９】
さらに、バケットの通水孔は時間の経過とともに下部から順次塵芥によって閉塞され、シュートからバケットに流入する水量は同一でもバケット内の水位は少しづつ上昇するので、バケットから水と塵芥とが溢れないよう常に監視しなければならず、またバケットから塵芥を放出するためにシュートからの水の供給を止めてもバケット下部の通水孔の多くが塵芥によって閉塞されているために、長時間待たないとバケット内の水が放流され尽くさないといった問題のあることが指摘された。
【００１０】
この発明の除塵装置の塵芥の搬送装置は上記問題点を解決しようとするもので、塵芥の流入と放出とを安定して継続することができる除塵装置の塵芥の搬送装置を提供するものである。
【００１１】
【課題を解決するための手段】
すなわちこの発明の除塵装置の塵芥の搬送装置は、河川や水路において、流水に浮いたり混入したりしている塵芥を分離し、分離して引上げた地点から集積地点までの間に、集積地点に向かう適度な下り勾配を有する水路形状のシュートを設け、シュートの始点にはポンプで水を汲み上げてシュート内に常時一定の水流を形成させ、さらにシュート終点には多孔構造のバケットをシュート内を流下してくる水と塵芥とを一旦全部受け入れた後、水だけを上記バケットの多孔構造部分から放流して塵芥を捕らえることのできるよう設置し、シュートの始点付近または途中に投入された塵芥を水によってシュート内を終点まで搬送し、集積地点に多孔構造のバケットから放出して集積するようにした除塵装置の塵芥の搬送装置において、上記シュート終点に設けた多孔構造のバケットを越流部を設けて最高水位がバケットの天端を越えないようにした水溜に浸し、シュート内を流下してくる水と塵芥とを一旦全部受け入れた上で塵芥を捕捉し、捕捉した塵芥を放出するようにしたことを特徴とするものである。
【００１２】
【作用】
このようにすれば、水溜に浸した多孔構造のバケットの内では塵芥は水に浮いて分散するので、バケットが一回に受入れることのできる塵芥の量を格段に増大させることができるばかりでなく、シュートから流入した水を放流する時、バケット内外の水位差が微小であるため、排水孔を塵芥が閉塞することがなく、流入と放流が安定して継続できる。
【００１３】
加えて、クレーン等によってバケットを水溜から引き上げた時、バケット内の水が速やかに排出されるので、待ち時間を取らずにバケットを塵芥集積地点にて反転し塵芥を放出しても、同時に多量の水を塵芥の集積地点に放出する不都合がない。
【００１４】
【実施例】
以下、この発明の除塵装置の塵芥の搬送装置の実施例を、図面に基いて説明する。
【００１５】
図１ないし図４は、この発明の除塵装置の塵芥の搬送装置の１実施例を説明するものである。
【００１６】
図１は除塵装置を設置した水路の縦断面図であり、水路を流れる水に混入した塵芥９は、下流側に傾けて水路の全幅にわたって一定の間隔で平鋼を立て並べたスクリーン１に掛かって、水路を流れ下ることができない。この塵芥はチェーン車４によって駆動され、チェーン車５，６，７によって誘導されるエンドレスのチェーン３に数個所取り付けられた熊手２によって、スクリーン１の上流面に沿って引上げられ、シュート８に投入される。
【００１７】
図２は塵芥の搬送装置部分の縦断面図であり、図３はその平面図である。シュート８は除塵装置を設置した水路をまたいで水路幅の如何なる位置から引上げられた塵芥をも受け入れ可能であり、多孔構造のバケット１０の方向に１／ｎの勾配で設置され、水や塵芥の流下が可能である。図において、シュート８の終端の下方には排水孔１１を多数有する多孔構造のバケット１０が、支持台１２と回転駆動装置１３によって支持されかつ駆動される軸１４に取り付けられたアーム１５とによって支持されてシュート８を流下してくる水と塵芥の全てを受け入れることのできる位置に置かれている。
【００１８】
同時に多孔構造のバケット１０は越流堰１６によって水位をほぼ一定で、かつ多孔構造のバケット１０の天端を越えない高さに保つようにした水溜１７に浸されている。
またシュート８の始端にはストレーナ１９、配管２０を経由してポンプ２１が汲み上げた水が配管２２によって注入されるので、シュート８には浅い水深ながら一定の水流が形成される。
【００１９】
シュート８を流れ下った水はその終端でシュート８から流出して多孔構造のバケット１０に入るが、さらに多数の排水孔１１から緩やかに水溜１７に流出し、その越流堰１６を越流して排水管１８から水路に戻る。
【００２０】
このような状態の所へ、水路に立て並べたスクリーン１の上流面に沿って熊手２によって引き上げられた塵芥９がシュート８に投入されると、塵芥９は水によって搬送され、シュート８の終端に至って多孔構造のバケット１０に内部に水と一緒に落下する。
【００２１】
このとき、多孔構造のバケット１０は越流堰１６によって水位を適度の高さに保たれた水溜１７に浸されているので、塵芥９は多孔構造のバケット１０に内部でも水面あるいは水中を浮遊する状態にあるので後から流下してくる水に攪拌されて容易に分散し、多量の塵芥９の受け入れが可能となる。
【００２２】
さらに、水が排水孔１１から水溜１７に流出するに際しては、多孔構造のバケット１０の内側と外側の水位差は排水孔１１が非常に多数で充分の断面積を有することから微小であり、したがって塵芥９が排水孔１１の内側に吸着されることがないので、長時間にわたって緩やかな流出を継続することができる。
【００２３】
しかし、塵芥９の受け入れ捕捉が進行し、多孔構造のバケット１０の内部の塵芥９の量が過大になると、塵芥９相互の接触によって攪拌、分散が円滑に行なわれず、シュート８の終端から新たに落下してくる塵芥９が多孔構造のバケット１０の内部水面以上に積み重ねられた状態が出現する。
【００２４】
この状態が塵芥９受け入れの限界であるから、赤外線装置や超音波装置等によってこれを検出したら、直ちにポンプ２１を止めてシュート８による塵芥９の搬送を一時停止させ、次に回転駆動装置１３によって軸１４を約１３０°回してアーム１５に取り付けた多孔構造のバケット１０を水溜１７から持ち上げて集積場所２３上に反転させると、塵芥９は落下して多孔構造のバケット１０から放出されるのである。
【００２５】
この時の塵芥の搬送装置部分の縦断面図を示したのが図４である。回転駆動装置１３、軸１４、アーム１５によって多孔構造のバケット１０を水溜１７から持ち上げるに際しては、当初塵芥９による排水孔１１の目詰まりはほとんどないので、持ち上げる速度を適当に緩やかとすることにより持ち上げた分だけの水量は順次水溜１７に流出し、図４のごとく集積場所２３に放出された塵芥９には付着する少量の水しか含まれない。したがって集積場所２３の排水処理が非常に容易となる。
【００２６】
このように水溜１７に浸した多孔構造のバケット１０の内部で水面または水中に浮遊させておいた塵芥９を、多孔構造のバケット１０を水溜１７から引き上げて反転することにより、集積場所２３に放出する場合、塵芥９に付着した水分は潤滑剤ならびに剥離剤として作用するから、多孔構造のバケット１０の内部の塵芥９をほとんど残さずに落下放出させる効果もある。
【００２７】
このようにして塵芥９を放出させた多孔構造のバケット１０は再度回転駆動装置１３、軸１４、アーム１５によってによって図２および図３の状態に戻し、一端を支持台１２に支持させた上でポンプ２１を起動させてシュート８の始点に水を汲み上げれば、塵芥９の搬送を再開させることができるのである。
【００２８】
【発明の効果】
この発明の除塵装置の塵芥の搬送装置によれば、多孔構造のバケットの内部で塵芥が良好に攪拌され分散するので、バケットの体積を効率的に使って塵芥を捕捉することができる。
【００２９】
また、水溜に浸されている時、多孔構造のバケットの排水孔が塵芥によって目詰まりすることはほとんどないので、バケットを水溜から持ちあげた時、排水が速やかに行われ、集積場所の排水処理が簡単かつ容易であるばかりでなく、一様に水濡れした塵芥は水を潤滑剤として流動性がよく、またこの水は剥離剤としても作用するので、反転して塵芥を放出した多孔構造のバケットの内部に塵芥が付着残留することがほとんどないので、運転管理、塵芥の仕分け処分、装置の清掃などが作業性よく行なえ、業務量が減少するといった効果がある。
【図面の簡単な説明】
【図１】この発明に係る除塵装置の塵芥の搬送装置の１実施例を示し、除塵装置を設置した水路の縦断面図である。
【図２】塵芥の搬送装置で多孔構造のバケットがシュートからの水と塵芥を受け入れるべき位置にある状態の縦断面図である。
【図３】その平面図である。
【図４】塵芥の搬送装置で多孔構造のバケットが塵芥を集積場所に放出した状態の縦断面図である。
【符号の説明】
１  スクリーン
２  熊手
３  エンドレスチェーン
４  駆動するチェーン車
５，６，７  チェーン車
８  シュート
９  塵芥
１０  多孔構造のバケット
１１  排水孔
１２  支持台
１３  回転駆動装置
１４  軸
１５  アーム
１６  越流堰
１７  水溜
１８  排水管
１９  ストレーナ
２０  配管
２１  ポンプ
２２  配管
２３  集積場所
【図１】
0003577678.tif 000002
【図２】
0003577678.tif 000003
【図３】
0003577678.tif 000004
【図４】
0003577678.tif 000005